(57)【特許請求の範囲】
【請求項１】
第１のレースと、第２のレースと、上記第１のレースと上記第２のレースとの間に配置された複数のボールと、上記第１のレースと上記第２のレースとの内周部相互間および外周部相互間を密封する弾性シール材とを備えた密封形スラスト玉軸受において、
上記第１のレースの外周部には、上記第２のレース側へ向かって屈曲する屈曲部が形成され、
上記第２のレースの外周部には、上記第１のレース側へ向かって延びる円筒部が形成され、
上記外周部相互間を密封する弾性シール材は、上記屈曲部の根元に直接取り付けられると共に、上記屈曲部の根元から上記円筒部の軸方向の端面に向かって延びて当該端面に接触するリップを有し、
上記第１のレースの外周部の上記屈曲部に対して、上記第２のレースの外周部の上記円筒部が径方向外側に位置することを特徴とする密封形スラスト玉軸受。
【発明の詳細な説明】
【０００１】
【発明の属する技術分野】
本発明は、例えば２重リップシール内輪一体型ストラットマウント軸受等の密封形スラスト玉軸受に関する。
【０００２】
【従来の技術】
従来、密封形スラスト玉軸受としては、図２に示すようなものがある。この密封形スラスト玉軸受は、第１のレース２１と、第２のレース２２と、第１のレース２１と第２のレース２２との間に配置された複数のボール２３と、第１のレース２１と第２のレース２２との内周部相互間および外周部相互間を密封する弾性シール材２４とを備えている。
【０００３】
上記弾性シール材２４は、図２の右側の部分を拡大して示している図３に示すように、第１のレース２１の軌道面２１ａを除く表面を被覆して、内周部相互間および外周部相互間を密封するインナシール部２５,アウタシール部２６を有している。また、上記インナシール部２５には第２のレース２２の第１のレース２１側の内面２２ａに摺接する第１,第２リップ２５ａ,２５ｂを形成すると共に、アウタシール部２６には第２のレース２２の内周面２２ｂに摺接する第１,第２リップ２６ａ,２６ｂを形成している。このインナシール部２５の第１,第２リップ２５ａ,２５ｂ、および、アウタシール部２６の第１,第２リップ２６ａ,２６ｂで、第１のレース２１と第２のレース２２との間の密封空間に泥水などが入り込むのを防いでいる。
【０００４】
【発明が解決しようとする課題】
ところで、上記密封形スラスト玉軸受では、図２に示す矢印Ｒ方向のラジアル荷重がかかった場合、第２のレース２２が、第１のレース２１に対して径方向右に０.３mm/ton程度変位する。このとき、図３において示す上記第２のレース２２の内周面に接触しているアウタシール部２６の第１,第２リップ２６ａ,２６ｂは、アウタシール部２６が図３中右側に移動するためしめしろが減少する。その結果、上記第１,第２リップ２６ａ,２６ｂのしめしろが減少した所で、アウタシール部２６の密閉性の低下により内部に泥水などが入り込みやすくなり、耐水性が低下するという問題がある。
【０００５】
そこで、本発明の目的は、優れた耐水性を有する密封形スラスト玉軸受を提供することにある。
【０００６】
【課題を解決するための手段】
上記目的を達成するため、請求項１の発明の密封形スラスト玉軸受は、
第１のレースと、第２のレースと、上記第１のレースと上記第２のレースとの間に配置された複数のボールと、上記第１のレースと上記第２のレースとの内周部相互間および外周部相互間を密封する弾性シール材とを備えた密封形スラスト玉軸受において、
上記第１のレースの外周部には、上記第２のレース側へ向かって屈曲する屈曲部が形成され、
上記第２のレースの外周部には、上記第１のレース側へ向かって延びる円筒部が形成され、
上記外周部相互間を密封する弾性シール材は、上記屈曲部の根元に直接取り付けられると共に、上記屈曲部の根元から上記円筒部の軸方向の端面に向かって延びて当該端面に接触するリップを有し、
上記第１のレースの外周部の上記屈曲部に対して、上記第２のレースの外周部の上記円筒部が径方向外側に位置することを特徴としている。
【０００７】
上記請求項１の発明の密封形スラスト玉軸受によれば、ラジアル荷重により上記第２のレースが上記第１のレースに対して相対的に径方向に変位しても、上記外周部相互間を密封する弾性シール材のリップが第２のレースの軸方向の端面に接触しているので、弾性シール材のリップのしめしろが減少しない。したがって、上記弾性シール材の密閉性は低下せず、内部に泥水などが入り込みにくくなり、耐水性を向上できる。
【０００８】
【発明の実施の形態】
以下、本発明の密封形スラスト玉軸受を図示の実施の形態により詳細に説明する。
【０００９】
図１は本発明の実施の一形態の密封形スラスト玉軸受の要部の断面図である。この密封形スラスト玉軸受は、図１に示すように、第１のレース１と、第２のレース２と、第１のレース１と第２のレース２との間に配置された複数のボ−ル３と、第１のレース１と第２のレース２との内周部相互間および外周部相互間を密封する弾性シール材４とを備えている。
【００１０】
上記第１のレース１の内周部には第２のレース２側に向かって延びる円筒部７を形成する一方、第１のレース１の外周部には第２のレース２側へ向かって屈曲する屈曲部８を形成している。また、上記第２のレース２の外周部には第１のレース１側に向かって延びる円筒部９を形成している。この第２のレース２の円筒部９の内径は、第１のレース１の屈曲部８の外径より大きくなっている。
【００１１】
上記弾性シール材４は、第１のレース１の軌道面１ａを除く表面を被覆して、第１のレース１と第２のレース２との内周部相互間および外周部相互間を密封するインナシール部５とアウタシール部６を有している。また、上記インナシール部５は、円筒部７に対向する第２のレース２の内面２ａに摺接する第１,第２リップ５ａ,５ｂを有する一方、アウタシール部６は、第２のレース２の円筒部９の内周面９ａに摺接する第１リップ６ａと、円筒部９の軸方向の端面９ｂに摺接する第２リップ６ｂとを有している。上記第１リップ６ａは屈曲部８の先端から延びると共に、第２リップ６ｂは屈曲部８の根元から延びている。
【００１２】
上記構成の密封形スラスト玉軸受は、例えば、第２のレース２がラジアル荷重によって第１のレース１に対して図１中右側に移動した場合、円筒部９の内周面９ａに摺接するアウタシール部６の第１リップ６ａは、アウタシール部６が図１中右側に移動するため、径方向のしめしろが減少するが、上記円筒部９の軸方向の端面９ｂに摺接するアウタシール部６の第２リップ６ｂは、第２のレース２の軸方向の端面９ｂに対して軸方向にしめしろをもってシールしているため、アウタシール部６が図１中右側(径方向)に移動しても、軸方向のしめしろは減少しない。したがって、上記外周部相互間を密閉するアウタシール部６の第２リップ部６ｂは密閉性は低下せず、内部に泥水などが入り込みにくくなり、耐水性を向上できる。
【００１３】
上記実施の形態では、インナシール部５とアウタシール部６とを一体に形成していたが、インナシール部５とアウタシール部６とを別々に形成してもよい。
【００１４】
なお、第２のレースとは、２つのレースのうちで軸方向の端面に、弾性シール材のリップに接触するレースをいい、上記弾性シール材が取り付けられたレースを第１のレースという。
【００１５】
【発明の効果】
以上より明らかなように、請求項１の発明の密封形スラスト玉軸受によれば、ラジアル荷重により第２のレースが第１のレースに対して相対的に径方向に変位しても、第１のレースと第２のレースとの外周部相互間を密封する弾性シール材のリップが第２のレースの軸方向の端面に接触しているので、弾性シール材のリップのしめしろは減少せず、内部に泥水などが入り込みにくくなり、耐水性を向上できる。
【図面の簡単な説明】
【図１】  図１は本発明の実施の一形態の密封形スラスト玉軸受の要部の断面図である。
【図２】  図２は従来の密封形スラスト玉軸受の断面図である。
【図３】  図３は上記従来の密封形スラスト玉軸受の要部の拡大断面図である。
【符号の説明】
１    第１のレース
２    第２のレース
３    ボール
４    弾性シール材
５    インナシール部
５ａ  インナシール部の第１リップ
５ｂ  インナシール部の第２リップ
６    アウタシール部
６ａ  アウタシール部の第１リップ
６ｂ  アウタシール部の第２リップ
９    第２のレースの円筒部
９ａ  内周面
９ｂ  端面
【図１】
0004045705.tif 000002
【図２】
0004045705.tif 000003
【図３】
0004045705.tif 000004